(57)【要約】【課題】製造コストの低減化を図りつつ、販売商品の収納容積の拡大化を図ること。【解決手段】前面開口１ｂを有したケース本体１の内部に前方に向けてブラケット部材２０が配設され、ブラケット部材２０にスライダ４０を介して取り付けられた棚板３０が前面開口１ｂを通じて前後方向に沿ってスライド可能な商品載置棚１０が構成されたショーケースにおいて、ブラケット部材２０は、上端面２２ａが後方に向かうに連れて漸次上方に傾斜する態様で形成され、棚板３０は、前端部が棚支持軸３１６を介してスライダ４０の内側構成要素４２に支持されることにより棚支持軸３１６を中心に後端部が内側構成要素４２に対して上下に揺動可能に配設され、後方にスライドした場合、ブラケット部材２０の上端面２２ａに載置されて傾斜姿勢に成る。【選択図】図５
2019217225.tif 000002
【特許請求の範囲】
【請求項１】
前面に開口を有したケース本体の内部に前方に向けてブラケット部材が配設され、該ブラケット部材にスライダを介して取り付けられた棚板が前記開口を通じて前後方向に沿ってスライド可能な商品載置棚が構成されたショーケースにおいて、
前記ブラケット部材は、上端面が後方に向かうに連れて漸次上方に傾斜する態様で形成されており、
前記棚板は、前端部が棚支持軸を介して前記スライダの構成要素に支持されることにより前記棚支持軸を中心に後端部が前記構成要素に対して上下に揺動可能に配設され、後方にスライドした場合、前記ブラケット部材の上端面に載置されて傾斜姿勢に成ることを特徴とするショーケース。
【請求項２】
前記棚板は、前方にスライドした場合、後端部が前記ブラケット部材の前方側上端面に載置されて略水平姿勢に成ることを特徴とする請求項１に記載のショーケース。
【請求項３】
前記棚板は、前記ブラケット部材の上端面に接する態様で後端部の下部に配設された摺動部材を備え、
前記摺動部材は、表面が平滑な樹脂により構成されたことを特徴とする請求項１又は請求項２に記載のショーケース。
【請求項４】
左右方向が長手方向となるロッド状の形態を成し、前記棚板に上下方向に移動可能に配設されたストッパを備え、
前記ストッパは、前記ブラケット部材に設けられた凹所に進入した場合には、前記棚板を後方にスライドした状態に保持する一方、前記凹所から離脱した場合には、前記棚板が前方にスライドすることを許容することを特徴とする請求項１〜３のいずれか１つに記載のショーケース。
【請求項５】
前記ストッパは、前記ブラケット部材間に操作者により操作が行われる操作領域と、前記操作領域の両端の少なくとも一方に連続する非操作領域とを有し、
前記棚板は、前記ストッパの上方に、該ストッパが上下に移動することにより前記非操作領域と近接離反する態様で対向する非操作対向領域を有しており、
前記非操作領域と前記非操作対向領域との一方に他方に向けて突出する態様で設けられ、かつ前記ストッパが前記凹所から離脱した場合に該他方に当接する突出部を備えたことを特徴とする請求項４に記載のショーケース。
【発明の詳細な説明】
【技術分野】
【０００１】
本発明は、ショーケースに関し、より詳細には、例えばコンビニエンスストア等の店舗に設置され、ケース本体の内部に商品を載置するための商品載置棚を備えたショーケースの改良に関するものである。
【背景技術】
【０００２】
従来、例えばコンビニエンスストア等の店舗では、販売商品を商品載置棚に載置させた状態でケース本体の内部に収納するようにしたショーケースが多く適用されている。商品載置棚は、左右一対のブラケット部材の間にスライダを介して棚板を支持させることによって構成されたものである。
【０００３】
この種のショーケースには、販売商品を見易くする目的で、あるいは商品載置棚の前方に載置された商品が取り出された場合に後方に載置された販売商品を前方に滑り出させる目的で、棚板の前端部が低くなるように傾斜して配置することができるものも提供されている。
【０００４】
すなわち、このショーケースでは、くさび形を成す傾斜支持部材がブラケット部材に対して上下に移動可能に配設されている。傾斜支持部材を突出させない状態では、棚板がブラケット部材に沿ってほぼ水平の状態となる。これに対して傾斜支持部材をブラケット部材よりも上方に突出させた場合には、棚板が傾斜支持部材に沿って傾斜し、前端縁が低くなった状態でブラケット部材に支持されることになる（例えば、特許文献１参照）。
【先行技術文献】
【特許文献】
【０００５】
【特許文献１】特開２００３−２４５１７０号公報
【発明の概要】
【発明が解決しようとする課題】
【０００６】
ところで、上述したショーケースにおいては、棚板を傾斜させるための傾斜支持部材を必要としていたので、部品点数の増大に伴う製造コストの増大化を招来していた。また、傾斜支持部材は、上面に棚板を載置させるので、ある程度の左右寸法が必要とされる。そのため、ブラケット部材間における商品を載置するための有効容積の低減化を招来していた。
【０００７】
本発明は、上記実情に鑑みて、製造コストの低減化を図りつつ、販売商品の収納容積の拡大化を図ることができるショーケースを提供することを目的とする。
【課題を解決するための手段】
【０００８】
上記目的を達成するため、本発明に係るショーケースは、前面に開口を有したケース本体の内部に前方に向けてブラケット部材が配設され、該ブラケット部材にスライダを介して取り付けられた棚板が前記開口を通じて前後方向に沿ってスライド可能な商品載置棚が構成されたショーケースにおいて、前記ブラケット部材は、上端面が後方に向かうに連れて漸次上方に傾斜する態様で形成されており、前記棚板は、前端部が棚支持軸を介して前記スライダの構成要素に支持されることにより前記棚支持軸を中心に後端部が前記構成要素に対して上下に揺動可能に配設され、後方にスライドした場合、前記ブラケット部材の上端面に載置されて傾斜姿勢に成ることを特徴とする。
【０００９】
また本発明は、上記ショーケースにおいて、前記棚板は、前方にスライドした場合、後端部が前記ブラケット部材の前方側上端面に載置されて略水平姿勢に成ることを特徴とする。
【００１０】
また本発明は、上記ショーケースにおいて、前記棚板は、前記ブラケット部材の上端面に接する態様で後端部の下部に配設された摺動部材を備え、前記摺動部材は、表面が平滑な樹脂により構成されたことを特徴とする。
【００１１】
また本発明は、上記ショーケースにおいて、左右方向が長手方向となるロッド状の形態を成し、前記棚板に上下方向に移動可能に配設されたストッパを備え、前記ストッパは、前記ブラケット部材に設けられた凹所に進入した場合には、前記棚板を後方にスライドした状態に保持する一方、前記凹所から離脱した場合には、前記棚板が前方にスライドすることを許容することを特徴とする。
【００１２】
また本発明は、上記ショーケースにおいて、前記ストッパは、前記ブラケット部材間に操作者により操作が行われる操作領域と、前記操作領域の両端の少なくとも一方に連続する非操作領域とを有し、前記棚板は、前記ストッパの上方に、該ストッパが上下に移動することにより前記非操作領域と近接離反する態様で対向する非操作対向領域を有しており、前記非操作領域と前記非操作対向領域との一方に他方に向けて突出する態様で設けられ、かつ前記ストッパが前記凹所から離脱した場合に該他方に当接する突出部を備えたことを特徴とする。
【発明の効果】
【００１３】
本発明によれば、ブラケット部材は、上端面が後方に向かうに連れて漸次上方に傾斜する態様で形成され、棚板は、前端部が棚支持軸を介してスライダの構成要素に支持されることにより棚支持軸を中心に後端部が構成要素に対して上下に揺動可能に配設され、後方にスライドした場合、ブラケット部材の上端面に載置されて傾斜姿勢に成るので、従来のように、棚板を傾斜姿勢に支持するための傾斜支持部材をブラケット部材に設ける必要がなく、部品点数を低減させることができる。しかも、ある程度の左右幅を有する傾斜支持部材を割愛できるので、ブラケット部材間における商品を載置するための有効容積を拡大させることができる。従って、製造コストの低減化を図りつつ、販売商品の収納容積の拡大化を図ることができるという効果を奏する。
【図面の簡単な説明】
【００１４】
【図１】図１は、本発明の実施の形態であるショーケースを示す断面側面図である。
【図２】図２は、図１に示した１つの商品載置棚を示す斜視図である。
【図３】図３は、図１に示した１つの商品載置棚を示す斜視図である。
【図４】図４は、図１に示した１つの商品載置棚を示す縦断面図である。
【図５】図５は、図１に示した１つの商品載置棚を示す分解斜視図である。
【図６】図６は、図２〜図４に示した棚板を構成する棚枠の斜視図である。
【図７】図７は、図１に示した１つの商品載置棚を示す斜視図である。
【図８】図８は、図１に示した１つの商品載置棚を示す斜視図である。
【図９】図９は、スライダの要部を拡大して示す拡大平面図である。
【図１０】図１０は、棚板が収納状態となる商品載置棚の側面図である。
【図１１】図１１は、棚板が補充状態となる商品載置棚の側面図である。
【図１２】図１２は、図２〜図１１に示した商品載置棚の変形例を示す説明図である。
【図１３】図１３は、図２〜図１１に示した商品載置棚の他の変形例を模式的に示す正面図である。
【図１４】図１４は、図２〜図１１に示した商品載置棚の他の変形例を模式的に示す正面図である。
【図１５】図１５は、図２〜図１１に示した商品載置棚の他の変形例を模式的に示す正面図である。
【発明を実施するための形態】
【００１５】
以下に添付図面を参照して、本発明に係るショーケースの好適な実施の形態について詳細に説明する。
【００１６】
図１は、本発明の実施の形態であるショーケースを示す断面側面図である。ここで例示するショーケースは、例えばコンビニエンスストア等の店舗において販売商品をケース本体１の内部に収納するようにしたものである。本実施の形態では特に、要冷蔵商品を収納するための冷蔵用ショーケースを例示している。
【００１７】
すなわち、このショーケースでは、ケース本体１の内部に背面板２を設けることによって背面板２とケース本体１の後壁１ａとの間に通風ダクト３を構成するとともに、背面板２よりも前方に収納室４を構成している。通風ダクト３の内部には、蒸発器５や送風ファン６を配設している。蒸発器５は、図示していないコンデンシングユニットとともに冷凍サイクルを構成し、通過する空気との間において熱交換を行うものである。このショーケースでは、図示せぬコンデンシングユニット及び送風ファン６を駆動すれば、蒸発器５を通過した空気が通風ダクト３を通じて収納室４に循環供給され、収納室４が所望の冷蔵温度に維持されることになる。
【００１８】
ケース本体１は、前面に開口（以下、前面開口ともいう）１ｂを有した箱状を成すもので、収納室４に複数段の商品載置棚１０を備えている。収納室４の各段の商品載置棚１０は、同様の構成を有したものであるから、以下では１つの商品載置棚１０について説明を行う。
【００１９】
図２〜図５は、それぞれ図１に示した１つの商品載置棚１０を示すもので、図２及び図３は斜視図、図４は縦断面図、図５は分解斜視図である。商品載置棚１０は、図２〜図５に示すように、ブラケット部材２０及び棚板３０を備えて構成してある。
【００２０】
ブラケット部材２０は、背面板２の左右両側の前面に取り付けた棚支柱７から前方に突出するように配設したものである。つまり、ブラケット部材２０は、ケース本体１の内部である収納室４に互いに離隔する態様で前方に向けて配設した左右一対のものである。以下においては便宜上、２つのブラケット部材２０において互いに近接した方向を内側と称し、互いに離反した方向を外側と称して説明する。
【００２１】
ブラケット部材２０は、板金等から形成したものであり、側壁部２１及び上壁部２２を一体に成形することによって構成してある。
【００２２】
側壁部２１は、ブラケット部材２０の主要な構成要素であり、前後方向が長手方向となる長尺状部分である。この側壁部２１は、後端部の上下寸法が該後端部よりも前方側の領域の上下寸法よりも大きく形成してあり、該後端部の後端部分には後方に突出する複数の係止片２１ａが形成してある。これら係止片２１ａは、棚支柱７の前面に設けられた図示せぬ係止孔の任意に挿入することが可能である。係止片２１ａを係止孔に挿入した場合には、側壁部２１の後端部分が棚支柱７の前面に当接することになり、ブラケット部材２０を棚支柱７の任意の高さに略水平の片持ち状態で支持させることが可能である。
【００２３】
この側壁部２１の内側には、スライダ４０の外側構成要素４１が取り付けてある。スライダ４０は、従来公知のものであり、外側構成要素４１に対して該スライダ４０を構成する内側構成要素４２が水平かつ前後方向にスライドすることを許容するものである。
【００２４】
上記側壁部２１の後端部には、ネジ等の締結部材Ｎにより補強板５０が締結してある。この補強板５０は、例えば板金等から形成したものであり、左右一対のブラケット部材２０同士を連結することにより、該ブラケット部材２０が変形等することを規制するものである。
【００２５】
上壁部２２は、側壁部２１の上端縁部より内側に向けて延在する延在部分である。この上端部は、その上面である上端面２２ａが後方に向かうに連れて漸次上方に傾斜する態様で形成されており、該上端面２２ａの水平面に対する傾斜角度は、例えば３°〜５°とされている。
【００２６】
棚板３０は、販売商品が載置される部分であり、矩形状を成す棚枠３１の内部に載置板３２を支持させることによって構成してある。載置板３２は、例えばガラス板のように透明な矩形状の板状体である。
【００２７】
棚枠３１は、それぞれ板金等から形成した前枠部３１１、後枠部３１２及び左右一対の側枠部３１３を四周枠組みして構成したものである。かかる棚枠３１を構成する側枠部３１３には、図６に示すように、支持片部３１４及び摺動部（摺動部材）３１５が設けてある。
【００２８】
支持片部３１４は、側枠部３１３の前端部分において下方に突出する態様で形成された略矩形板状部分である。この支持片部３１４の中央部分には、棚支持貫通孔３１４ａが形成してある。
【００２９】
摺動部３１５は、表面が平滑な樹脂により構成されており、側枠部３１３の後端部分の下面に取り付けてある。この摺動部３１５は、ブラケット部材２０の上端部の上端面２２ａよりも僅かに大きい左右幅を有する摺動基部３１５ａと、この摺動基部３１５ａの左右両端部から下方に向けて延在する摺動ガイド部３１５ｂとが一体に成形することによって構成してある。
【００３０】
このような棚板３０は、棚支持貫通孔３１４ａを内側から貫通する棚支持軸３１６がスライダ４０の内側構成要素４２の前端部分に貫通して取り付けられることにより、棚支持軸３１６を中心に後端部が該内側構成要素４２に対して上下に揺動可能に配設してある。
【００３１】
このように棚板３０は、ブラケット部材２０の内側にスライダ４０を介して取り付けられ、摺動部３１５の摺動基部３１５ａがブラケット部材２０の上端面２２ａに載置されることでブラケット部材２０間に架設され、図２及び図３に示すように最も後方にスライドした収納状態と、図７及び図８に示すように最も前方にスライドした補充状態との間で、前面開口１ｂを通じて前後方向にスライド可能である。
【００３２】
また棚板３０は、棚枠３１の前枠部３１１には、その前端部に上方に延在する前端上延部３１１ａが形成され、棚枠３１の側枠部３１３には、その端部に上方に延在する側端上延部３１３ａが形成されている。そして、前端上延部３１１ａの両端部分と、側端上延部３１３ａの前端部分との間には、間隙Ｓが形成してある。
【００３３】
ところで、ブラケット部材２０と棚板３０との間に介在するスライダ４０の内側構成要素４２には、例えば樹脂等により構成されるストッパ４３が設けてある。ストッパ４３は、内側に突出するストッパ軸４３ａが内側構成要素４２に形成されたストッパ支持孔４２ａを外側から内側に向けて貫通することで、該内側構成要素４２にストッパ軸４３ａを中心として上下に揺動可能に設けられている。このストッパ４３は、棚板３０を収納状態にする場合、図９に示すように、外側に突出する態様で設けられた係止突起４３ｂが、スライダ４０の外側構成要素４１に設けられた規制突起４１ａに当接して、内側構成要素４２が外側構成要素４１に対して前方にスライドすることを規制している。一方、ストッパ４３は、ストッパ軸４３ａを中心として上方若しくは下方に揺動させられることで、係止突起４３ｂが規制突起４１ａの後方域から離脱すると、内側構成要素４２が外側構成要素４１に対して前方にスライドすることを許容するものである。
【００３４】
以上のような構成を有するショーケースにおいては、棚板３０は、前端部が棚支持軸３１６を介してスライダ４０の内側構成要素４２に支持されることにより棚支持軸３１６を中心に後端部が上下に揺動可能に配設され、後端部分に取り付けた摺動部３１５がブラケット部材２０の上端面２２ａに載置されている。そして、ブラケット部材２０の上端面２２ａが後方に向かうに連れて漸次上方に傾斜する態様で形成されていることで、棚板３０が収納状態となる場合、図１０に示すように、ブラケット部材２０の上端面２２ａに対応して傾斜姿勢となる。このとき、棚板３０の前方へのスライドは、ストッパ４３の係止突起４３ｂが規制突起４１ａに当接して規制される。
【００３５】
その後、ストッパ４３を上下に揺動させることで、棚板３０を前方にスライドさせることができる。その際、摺動部３１５は、ブラケット部材２０の上端面２２ａを摺動することになる。棚板３０が補充状態となる場合、図１１に示すように、摺動部３１５がブラケット部材２０の上端面２２ａの前端部分に載置されることで、略水平姿勢となる。
【００３６】
以上説明したように、本発明の実施の形態であるショーケースによれば、ブラケット部材２０は、上端面２２ａが後方に向かうに連れて漸次上方に傾斜する態様で形成され、棚板３０は、前端部が棚支持軸３１６を介してスライダ４０の内側構成要素４２に支持されることにより棚支持軸３１６を中心に後端部が内側構成要素４２に対して上下に揺動可能に配設され、後方にスライドした場合、ブラケット部材２０の上端面２２ａに載置されて傾斜姿勢に成るので、従来のように、棚板を傾斜姿勢に支持するための傾斜支持部材をブラケット部材に設ける必要がなく、部品点数を低減させることができる。しかも、ある程度の左右幅を有する傾斜支持部材を割愛できるので、ブラケット部材２０間における商品を載置するための有効容積を拡大させることができる。従って、製造コストの低減化を図りつつ、販売商品の収納容積の拡大化を図ることができる。
【００３７】
上記ショーケースによれば、ブラケット部材２０の上端面２２ａに接する態様で側枠部３１３の後端部分の下面に取り付けた摺動部３１５が、表面が平滑な樹脂により構成されているので、棚板３０のスライドをスムーズなものとしつつ、板金等から形成した部材同士の摺接することによる異音や変形等を抑制することができる。
【００３８】
上記ショーケースによれば、棚板３０における前端上延部３１１ａの両端部分と、側端上延部３１３ａの前端部分との間には、間隙Ｓが形成してあるので、該間隙Ｓを通じて載置板３２の上面に付着した塵埃物を取り除くことができ、商品載置棚１０の清掃を容易なものとすることができる。
【００３９】
上述した実施の形態では、左右一対のブラケット部材２０の内側に設けられたスライダ４０を介して棚板３０が前後方向にスライドするものであったが、次のような構成を採用することもできる。
【００４０】
すなわち、少なくとも一方のブラケット部材２０の内側に取り付けられたスライダ４０を取り外し、棚板３０の側端部が、該スライダ４０を取り外したブラケット部材２０の上面を摺動するようにしてもよい。これによれば、スライダ４０を割愛することでブラケット部材２０間の有効容積を更に拡大させることができる。
【００４１】
上述した実施の形態では、スライダ４０の内側構成要素４２の前端部分にストッパ４３を設けていたが、次のような構成のストッパであってもよい。
【００４２】
すなわち、図１２に示すように、棚枠３１′の前枠部３１１′の下部におけるストッパ支持片３１１ｂに、左右方向が長手方向となるロッド状のストッパ４３１を設け、このストッパ４３１は、上下方向が長手方向となる矩形状長孔３１１ｃの内部を上下に移動可能なものとする。そして、棚板３０が収納状態となる場合、ブラケット部材２０′の前端部分に設けられた凹所２３にストッパ４３１の両端部が進入することで、棚板３０を収納状態に保持することができる。凹所２３に進入したストッパ４３１を上方に移動させて該凹所２３から離脱させることで、棚板３０が前方にスライドすることを許容し、該棚板３０を補充状態にさせることができる。
【００４３】
このようなストッパ４３１であれば、操作者は、片手で該ストッパ４３１を上下に移動させればよく、利便性の向上を図ることができる。
【００４４】
また本発明においては、以下のような構成を有していてもよい。尚、上述した構成要素と同一の構成要素には同一の符号を付してその説明を適宜省略する。
【００４５】
図１３に示すように、ロッド状のストッパ４３１は、ブラケット部材２０′間に操作者により操作が行われる操作領域４３１ａと、この操作領域４３１ａの両端に連続する非操作領域４３１ｂとを有している。棚板３０の前枠部３１１′には、ストッパ４３１の上方において、該ストッパ４３１が上下に移動することにより非操作領域４３１ｂと近接離反する態様で対向する非操作対向領域３１１１を有している。そして、この非操作対向領域３１１１には、非操作領域４３１ｂに向けて下方に突出する態様で突出部３１１２が設けられている。
【００４６】
このような構成によれば、ストッパ４３１の操作領域４３１ａの例えば右側端部が操作された場合、図１４に示すように、ストッパ４３１は、右側が上方、左側が下方となる態様で傾斜し、右側がブラケット部材２０′の凹所２３から上方に離脱する。このとき、ストッパ４３１の左側はブラケット部材２０′の凹所２３に進入した状態となっている。
【００４７】
そして、ストッパ４３１の右側の非操作領域４３１ｂが右側の突出部３１１２に当接すると、てこの原理により、ストッパ４３１の左側が上方に移動し、ブラケット部材２０′の凹所２３から離脱する。その後、図１５に示すように、ストッパ４３１の左側の非操作領域４３１ｂが左側の突出部３１１２に当接することで、棚板３０が前方にスライドさせることができる。
【００４８】
このように、非操作対向領域３１１１に設けられた突出部３１１２が、凹所２３から離脱したストッパ４３１の一方の非操作領域４３１ｂに当接するので、てこの原理により、ストッパ４３１の他方を上方に移動させることができ、操作者は、ストッパ４３１の操作領域４３１ａの任意の個所を片手で上方に押し上げることで、容易に凹所２３からストッパ４３１を離脱させることができ、利便性の向上を図ることができる。
【００４９】
尚、図１３においては、ストッパ４３１の操作領域４３１ａの両端に連続して非操作領域４３１ｂが設けられていたが、本発明においては、非操作領域４３１ｂは、操作領域４３１ａの一端に連続して設けられていてもよい。この場合、棚板３０の非操作対向領域３１１１も左右両端ではなく、一端に設けられる。また突出部３１１２は、非操作対向領域３１１１に設けられていたが、本発明においては、ストッパの非操作領域に、非操作対向領域に向けて突出する態様で突出部が設けられていてもよい。
【符号の説明】
【００５０】
１  ケース本体
１ｂ  前面開口
４  収納室
１０  商品載置棚
２０  ブラケット部材
２１  側壁部
２１ａ  係止片
２２  上壁部
２２ａ  上端面
３０  棚板
３１  棚枠
３１４  支持片部
３１５  摺動部
３１６  棚支持軸
３２  載置板
４０  スライダ
４１  外側構成要素
４２  内側構成要素
４３  ストッパ
５０  補強板
【図１】
2019217225.tif 000003
【図２】
2019217225.tif 000004
【図３】
2019217225.tif 000005
【図４】
2019217225.tif 000006
【図５】
2019217225.tif 000007
【図６】
2019217225.tif 000008
【図７】
2019217225.tif 000009
【図８】
2019217225.tif 000010
【図９】
2019217225.tif 000011
【図１０】
2019217225.tif 000012
【図１１】
2019217225.tif 000013
【図１２】
2019217225.tif 000014
【図１３】
2019217225.tif 000015
【図１４】
2019217225.tif 000016
【図１５】
2019217225.tif 000017